(57)【要約】【課題】釣人の好みの位置に容易に装着でき、また、任意に脱着できるグリップ若しくは肘当てを提供する。【解決手段】この肘当て１０は、弾性ゴムからなる本体部１を有し、本体部１には軸方向に延びる貫通孔２とこれに連通する割り部分が形成されており、凹入部分となっている。この凹入部分に竿体１００を本体部１の弾性により脱着自在に装着できる。【選択図】　　　図１
2004081067.tif 000002
【特許請求の範囲】
【請求項１】
釣竿を構成する竿体の周面に装着するためのグリップ若しくは肘当てであって、
前記竿体の周面を挟持する左右一対の挟持片と、
前記挟持片を閉方向に付勢する付勢手段と
を備えるグリップ若しくは肘当て。
【請求項２】
前記グリップ若しくは肘当ては弾性体からなる本体部を有し、前記本体部には軸方向に延びる凹部分が形成されており、
前記凹部分の左右部分が前記挟持片であり、前記本体部の弾性が前記付勢手段である、請求項１に記載のグリップ若しくは肘当て。
【請求項３】
前記本体部の凹部分の反対面は曲面である、請求項２に記載のグリップ若しくは肘当て。
【発明の詳細な説明】
【０００１】
【発明の属する技術分野】
本発明は、魚釣りに用いる釣竿の竿元側に位置する竿体の周面に装着するグリップ若しくは肘当てに関する。
【０００２】
【従来の技術】
釣竿は、竿体と、竿体の竿元側に配置されリールを装着するためのリールシートと、竿体の周面に軸方向に間隔を隔てて配置される釣糸ガイド等とを有している。釣りを行う際には、釣人は、リールシートにリールを装着した上で、リール脚を指に挟み込みながら一方の手でリールシート付近を把持し、他方の手でリール操作を行いまたは竿体の竿元側端部を把持し、さらにはいずれかの手の肘を竿体周面に当てる等して釣りを行う。このため、従来の釣竿の中には、これらの部分にウレタンゴム等からなるグリップや肘当てなどを配置していることが多い。
【０００３】
もっとも、釣人が釣竿を把持する場所や釣り操作のスタイルは個々別々であることから、予め所定位置に固定されているグリップや肘当ては必ずしも釣人のニーズに合致しない場合もある。このため、任意の場所にグリップや肘当てを装着して釣りを行い得るようにしたグリップ片なども提供されている（特開平１１−０４６６３４号公報：図２など参照）。このグリップ片は、ポリイソプレン，ポリブタジエン等のゴムからなる弾性部材であり、接着剤や接着テープなどで竿体の周面の任意の位置に装着されることになる。
【０００４】
しかし、このようなグリップ片も必ずしも釣人を十分に満足させるものではない。上述のグリップ片は確かに釣人の好みの場所に装着できるが、一度装着すると、他の場所への変更は煩雑である。また、釣りを行っている最中に、グリップを必要とし若しくは必要としなくなる場合もある。上述のグリップ片はこのような場合において、機動的対応が図れない。
【０００５】
【発明が解決しようとする課題】
本発明の課題は、釣人の好みの位置に容易に装着でき、また、任意に脱着できるグリップ若しくは肘当てを提供することにある。
【０００６】
【課題を解決するための手段】
発明１のグリップ若しくは肘当ては、釣竿を構成する竿体の周面に装着するためのグリップ等であって、竿体の周面を挟持する左右一対の挟持片と、挟持片を閉方向に付勢する付勢手段とを備える。
釣人は、このグリップ若しくは肘当ての挟持片を左右方向に開いて挟持片で竿体の所定の周面を挟持させる。ワンタッチで竿体の任意の位置に釣人はグリップ若しくは肘当てを竿体に脱着できる。よって、釣りを行っている最中に必要となった場合、または、その位置を調整したい場合などに機動的対応が可能である。
【０００７】
発明２のグリップ若しくは肘当ては、発明１のグリップ等であって、このグリップ若しくは肘当ては弾性体からなる本体部を有し、本体部には軸方向に延びる凹部分が形成されている。そして、凹部分の左右部分が挟持片であり、本体部の弾性が付勢手段である。
釣人は、本体部をつかんで凹部分を左右方向に広げ、この凹部分に竿体を収納するようにしてグリップ若しくは肘当てを竿体の周面に装着する。弾性を有する本体部がそのまま付勢手段として機能し構造が簡易化する。また、挟持片となる部分も弾性体であるから、竿体周面を傷つけたりすることもない。また、装着後も竿体周面においてこのグリップは滑りにくい。
【０００８】
発明３のグリップ若しくは肘当ては、発明２のグリップ等であって、本体部の凹部分の反対面は曲面である。
凹部分に竿体を収納するようにしてこのグリップ等を竿体の周面に装着すると、その反対面が竿体の周面方向に位置する。そして、この反対面を釣人が把持し若しくは肘を当てることになる。よって、例えば、反対面を凹曲面としておけば肘当てとして用いる際に肘を当てやすい。また、反対面を凸曲面としておけばグリップとして用いる際に把持しやすい。
【０００９】
【発明の実施の形態】
［第１実施形態］
以下、本発明の第１実施形態について、図面を参照しつつ説明する。
本発明の第１実施形態を採用した肘当て１０は、図１に示すように、略三角柱状の本体部１を有する。本体部１はウレタンゴム等の弾性ゴムから形成されている。必要に応じて、本体部１を超弾性乃至形状記憶性を有する機能性弾性プラスチックから形成してもよい。その大きさは、任意に設定できるが、例えば、軸方向に１２０〜２００ｍｍ程度、一辺の長さが３０〜６０ｍｍ程度である。
【００１０】
この本体部１では、軸方向に貫通するように略円柱型に貫通孔２が形成されている。また、三角柱型の本体部１の１つの長辺付近にこの貫通孔２に対して「割」が形成され、貫通孔２の一部が軸方向に連続的に外部に連通している。そして、全体として本体部１に軸方向に延びる凹部分を形成している。
この「割」部分の左右の縁部分は貫通孔２の径内方向にやや突出した爪１ａとなっている。後述のように、この爪１ａは竿体１００の周面に対する滑り止め用の爪である。また、貫通孔２の軸方向両端の周面にも貫通孔２の径内方向に突出しつつ貫通孔２の周方向に延びる爪１ｂが形成されている。この爪１ｂも爪１ａと同様の滑り止め用のものである。これらの各部分は、本体部１を射出成形等で形成し周面を研磨削取する作業などによって、一体的に形成されるものである。
【００１１】
この肘当て１０は、図２及び図３に示すように、貫通孔２の左右の本体部１の一部が挟持片となり、「割」部分から貫通孔２の内部に竿体１００を収納した状態で、竿体１００の周面に装着される。即ち、釣人が「割」の部分を左右方向に広げたうえで、竿体１００を本体部１で挟み込む。竿体１００に肘当て１０を装着する場所は、釣人が自らの好みに合わせて選択することになるが、図４に示すように、釣竿の中でもっとも竿元側に位置する元竿の竿元側端部付近に装着するのが一般的である。
【００１２】
また、この肘当て１０の貫通孔２の径を竿体１００の径より小さく設定しておくことで、図２及び図３に示すように、竿体１００の周面に装着すると、「割」の反対面が反り返って左右幅方向の中央付近が窪むように凹入する曲面となる。そして、この凹入する反対面が釣人の肘を受けることになる。この場合、予め、この反対面を凹入するような湾曲面に形成しておいてもよい。
【００１３】
さらに、図５に示すように、肘当て１０を装着するであろうと思われる位置の竿体１００の周面に、竿体１００の軸方向及び周方向にそれぞれ間隔を隔てて複数の滑り止め用溝を形成しておいてもよい。滑り止め用溝を形成しておくことで、上述の爪１ａ，１ｂの滑り止め効果を向上させることになる。
なお、この実施形態では、「肘当て」について説明しているが、この肘当て１０と同様の構造を採用してグリップに応用することも可能である。
【００１４】
［第２実施形態］
本発明の第２実施形態について、図面を参照しつつ説明する。
図６及び図７に示すように、この肘当て２０は、ＡＢＳ樹脂やポリカーボネート等の硬質合成樹脂若しくは金属から構成される左右一対の挟片２１，２２と、バネ２３とを有している。挟片２１，２２は、それぞれ左右に対称な部材であり、長手方向（図７の左右方向）に１２０〜２００ｍｍ程度の長さを有する。挟片２１，２２はそれぞれ左右対称の半円周型に形成される挟持部分２４，２５を有し、挟持部分２４，２５の反対側には軸方向に延びる支点凹部２１ａ，２２ａが形成されている。また、この支点凹部２１ａ，２２ａから左右方向にそれぞれつまみ部分２６，２７が延びている。なお、この挟持部分２４，２５の内周面には必要に応じてゴムシートなどを装着してもよい。
【００１５】
バネ２３は金属線がコイル状に巻回されたコイル部分２３ａと、コイル状の両端にそれぞれ延びるカギ部分２３ｂとを有する。コイル部分２３ａは支点凹部２１ａ，２２ａ内に収納されており、支点凹部２１ａ，２２ａから飛び出した両端のカギ部分２３ｂは、それぞれ挟片２１，２２の周面に沿って折り曲げられて挟持部分２４，２５の付け根付近を軸方向に延びている。そして、このカギ部分２３ｂが挟片２１，２２に圧接して、挟持部分２４，２５を挟持方向に付勢している。
【００１６】
釣人は、つまみ部分２６，２７を掴んで、挟持部分２４，２５を左右方向に広げ、バネ２３の付勢力によりこの挟持部分２４，２５に竿体を挟み込み、竿体の任意の位置の周面に肘当て２０を装着する。
［他の実施形態］
（ａ）図８に示すようなグリップ３０も提供できる。こグリップ３０は、ゴム素材からなる半円筒型の本体部３１を有し、この本体部３１内に本体部３１の形状に沿って円筒型に湾曲する板ばね３２を内包させている。
【００１７】
【発明の効果】
本発明にかかるグリップや肘当てによれば、釣人の好みの位置に容易に装着できる。
【図面の簡単な説明】
【図１】本発明の第１実施形態を採用した肘当て１０を示した図。
【図２】図１の肘当て１０を竿体１００に装着した状態を示した図。
【図３】図２における肘当て１０の断面図。
【図４】肘当て１０の使用状態を示した図。
【図５】肘当て１０を装着する竿体１００の参考図。
【図６】本発明の第２実施形態を採用した肘当て２０を示した図。
【図７】図６の肘当て２０の側面図。
【図８】本発明の他の実施形態を採用したグリップ３０を示した図。
【符号の説明】
１０，２０　肘当て
３０　グリップ
１００　竿体
【図１】
2004081067.tif 000003
【図２】
2004081067.tif 000004
【図３】
2004081067.tif 000005
【図４】
2004081067.tif 000006
【図５】
2004081067.tif 000007
【図６】
2004081067.tif 000008
【図７】
2004081067.tif 000009
【図８】
2004081067.tif 000010